(57)【要約】【課題】観察者が二次元画像に強い立体感又は奥行き感を得ることができる、表示装置を提供する。また、観察者が、二次元画像に自然な立体感又は奥行き感を得ることができる、表示装置を提供する。【解決手段】枠部と、枠部側に表示面を有し、枠部と間隔を空けて位置する表示部と、を有し、表示部は枠部の開口と重なり、かつ、表示部の端部は枠部と重なる、表示装置を提供する。また、枠部の内枠の角部が曲率を有する構成や、枠部の内枠の大きさが可変である構成を付加した該表示装置を提供する。【選択図】図１
2015127799.tif 000002
【特許請求の範囲】
【請求項１】
枠部と、
前記枠部側に表示面を有し、前記枠部と間隔を空けて位置する表示部と、を有し、
前記表示部は前記枠部の開口と重なり、かつ、前記表示部の端部は前記枠部と重なる、表示装置。
【請求項２】
請求項１において、
前記枠部の内枠の角部が曲率を有する、表示装置。
【請求項３】
請求項１又は２において、
前記枠部の内枠の角部は、前記表示部の角部よりも大きな曲率を有する、表示装置。
【請求項４】
請求項１乃至３のいずれか一項において、
前記枠部の内枠の角部の曲率が可変である、表示装置。
【請求項５】
請求項１乃至４のいずれか一項において、
前記枠部の内枠の大きさが可変である、表示装置。
【請求項６】
請求項１乃至５のいずれか一項において、
前記枠部は、前記表示部に対して着脱自在に取り付けられている、表示装置。
【請求項７】
請求項１乃至６のいずれか一項において、
前記枠部が前記表示面に対して湾曲している、表示装置。
【請求項８】
請求項１乃至７のいずれか一項において、
前記枠部と前記表示部が平行ではない、表示装置。
【請求項９】
請求項１乃至８のいずれか一項において、
前記枠部が遮光性である、表示装置。
【請求項１０】
内枠の大きさが可変である枠部と、
画像データが供給され、制御信号を供給することができる演算処理部と、
前記制御信号が供給され、前記内枠の大きさを変化させることができる駆動制御部と、を有し、
前記演算処理部は、前記画像データを解析することで、前記制御信号を生成する、表示装置用枠。
【発明の詳細な説明】
【技術分野】
【０００１】
本発明の一態様は、表示装置、半導体装置、発光装置、液晶表示装置等の装置、及び該装置に用いることができる枠に関する。
【０００２】
なお、本発明の一態様は、上記の技術分野に限定されない。本明細書等で開示する発明の一態様は、物、方法、又は製造方法に関する。本発明の一態様は、プロセス、マシン、マニュファクチャ、又は組成物（コンポジション・オブ・マター）に関する。そのため、より具体的に本明細書で開示する本発明の一態様の技術分野としては、表示装置、半導体装置、発光装置、蓄電装置、記憶装置、電子機器、照明装置、入力装置（例えば、タッチセンサなど）、出力装置、入出力装置（例えば、タッチパネルなど）、それらの駆動方法、又は、それらの製造方法を一例として挙げることができる。
【背景技術】
【０００３】
テレビ受像機などの大型表示装置から携帯電話などの小型表示装置に至るまで様々な表示装置が市場に普及している。付加価値がより高い製品の一として、より臨場感のある画像を再現するため、立体画像の表示が可能な表示装置の開発が進められている。
【０００４】
人間が物体を立体として認識する生理的要因としては、両眼視差、輻輳、ピント調節、運動視差、像の大きさ、空間配置、明暗の差、陰影等が挙げられる。
【０００５】
例えば、両眼視差を利用して立体画像を表示する表示装置が知られている。このような表示装置は、同一画面に左目の位置から見える画像（左目用の画像）と右目の位置から見える画像（右目用の画像）とを表示し、観察者は左目で左目用の画像を、右目で右目用の画像を観察することにより立体画像を観察する。
【０００６】
例えば、メガネ方式を用いる表示装置の一例としては、左目用の画像と右目用の画像を、メガネに設けたシャッターと同期して、画面に交互に表示する装置がある。これにより、観察者は左目で左目用の画像を、右目で右目用の画像を、それぞれ交互に観察することで立体画像を観察する。
【０００７】
また、裸眼での観察が可能な視差バリア方式を用いる表示装置は、画面が左右に並んだ複数の右目用の領域と左目用の領域（例えば短冊状の領域）に分割され、その境界に視差バリアが重ねて設けられている。分割された画面には、左目用の画像と右目用の画像とが同時に表示される。視差バリアは、右目用の画像が表示される領域を左目から隠し、左目用の画像が表示される領域を右目から隠す。その結果、観察者は左目で左目用の画像のみを、右目で右目用の画像のみを同時に観察することにより、立体画像を観察できる。
【０００８】
なお、視差バリアを可変とし、平面画像の表示モードと立体画像の表示モードとを切り替え可能な表示装置が知られている（特許文献１）。
【０００９】
また、エレクトロルミネッセンス（Ｅｌｅｃｔｒｏｌｕｍｉｎｅｓｃｅｎｃｅ、以下ＥＬとも記す）現象を利用した発光素子が知られている。この発光素子は、自発光型であるためコントラストが高く、入力信号に対する応答速度が速い。そして、この発光素子を応用した、消費電力が低減され、製造工程が簡単な、高精細化や基板の大型化への対応が容易な表示装置が知られている（特許文献２）。
【先行技術文献】
【特許文献】
【００１０】
【特許文献１】国際公開第２００４／００３６３０号
【特許文献２】特開２０１１−２３８９０８号公報
【発明の概要】
【発明が解決しようとする課題】
【００１１】
シャッターを利用したメガネ方式を用いる表示装置では、画面において左目用の画像と右目用の画像を交互に表示するため、二次元画像の表示を行う場合に比べ、１フレーム期間における画素部への画像の書き込み回数が増える。したがって、高周波数での駆動が可能な駆動回路が必要となる他、表示装置の消費電力が高くなる。
【００１２】
視差バリア方式を用いる表示装置では、画素部の水平方向において、左目用の画像及び右目用の画像の表示に寄与する画素数はそれぞれ、実際の画素数の半分となるため、高精細な画像の表示が妨げられる。
【００１３】
そのため、表示装置には、左目用の画像及び右目用の画像といった両眼視差を含む画像を用いず、二次元画像を用いて、観察者が強い奥行き感又は立体感を得られる画像を表示することが求められている。
【００１４】
本発明の一態様は、観察者が、二次元画像に強い立体感又は奥行き感を得ることを目的の一とする。また、本発明の一態様は、観察者が、二次元画像に自然な立体感又は奥行き感を得ることを目的の一とする。
【００１５】
また、本発明の一態様は、新規な表示装置を提供することを目的の一とする。また、本発明の一態様は、表示装置に用いることができる新規な枠を提供することを目的の一とする。また、本発明の一態様は、観察者が、二次元画像に強い立体感又は奥行き感を得ることができる表示装置、又は表示装置に用いることができる枠を提供することを目的の一とする。また、本発明の一態様は、観察者が、二次元画像に自然な立体感又は奥行き感を得ることができる表示装置、又は表示装置に用いることができる枠を提供することを目的の一とする。また、本発明の一態様は、観察者が、二次元画像に強い立体感又は奥行き感を得ることができ、かつ、疲労が生じにくい表示装置、又は表示装置に用いることができる枠を提供することを目的の一とする。また、本発明の一態様は、観察者が、二次元画像に自然な立体感又は奥行き感を得ることができ、かつ、疲労が生じにくい表示装置、又は表示装置に用いることができる枠を提供することを目的の一とする。
【００１６】
なお、これらの課題の記載は、他の課題の存在を妨げるものではない。なお、本発明の一態様は、これらの課題の全てを解決する必要はないものとする。なお、これら以外の課題は、明細書、図面、請求項などの記載から、自ずと明らかとなるものであり、明細書、図面、請求項などの記載から、これら以外の課題を抽出することが可能である。
【課題を解決するための手段】
【００１７】
本発明の一態様は、枠部と、枠部側に表示面を有し、枠部と間隔を空けて位置する表示部と、を有し、表示部は枠部の開口と重なり、かつ、表示部の端部は枠部と重なる、表示装置である。
【００１８】
本明細書中において、枠部と表示部の間隔とは、表示部の表示面と、枠部の観察者側の面との間の距離を示す。つまり、枠部と表示部の間隔は、表示部の表示面と、該表示面と対向する枠部の面との間の距離と、枠部自体の厚さ（枠部において該表示面と対向する面と、観察者側の面との間の距離）との和である。枠部と表示部とが接していても、枠部と表示部とは、枠部の厚さ分、間隔を空けて位置しているといえる。
【００１９】
上記表示装置において、枠部の内枠の角部が曲率を有することが好ましい。
【００２０】
また、上記表示装置において、枠部の内枠の角部は、表示部の角部よりも大きな曲率を有することが好ましい。
【００２１】
また、上記表示装置において、枠部の内枠の角部の曲率が可変であることが好ましい。
【００２２】
また、上記表示装置において、枠部の内枠の大きさが可変であることが好ましい。
【００２３】
また、上記表示装置において、枠部は、表示部に対して着脱自在に取り付けられていることが好ましい。
【００２４】
また、上記表示装置において、枠部が表示面（又は表示部）に対して湾曲していることが好ましい。
【００２５】
また、上記表示装置において、枠部と表示部が平行ではないことが好ましい。
【００２６】
また、上記表示装置において、枠部は遮光性であってもよい。
【００２７】
また、本発明の一態様は、内枠の大きさが可変である枠部と、画像データが供給され、制御信号を供給することができる演算処理部と、制御信号が供給され、内枠の大きさを変化させることができる駆動制御部と、を有し、演算処理部は、画像データを解析することで、制御信号を生成する、表示装置用枠である。
【００２８】
なお、上記表示装置用枠では、内枠の大きさを変化させる駆動制御部を示したが、本発明の一態様の表示装置用枠はこれに限定されない。本発明の一態様において、駆動制御部は、内枠の大きさ、枠部の湾曲の加減、枠部の傾きの加減、又は枠部の内枠の形状等の少なくとも一つを変化させることができればよい。
【発明の効果】
【００２９】
本発明の一態様によると、観察者が、二次元画像に強い立体感又は奥行き感を得ることができる。また、本発明の一態様によると、観察者が、二次元画像に自然な立体感又は奥行き感を得ることができる。
【００３０】
本発明の一態様では、新規な表示装置を提供することができる。また、本発明の一態様では、表示装置に用いることができる新規な枠を提供することができる。また、本発明の一態様では、観察者が、二次元画像に強い立体感又は奥行き感を得ることができる表示装置、又は表示装置に用いることができる枠を提供することができる。また、本発明の一態様では、観察者が、二次元画像に自然な立体感又は奥行き感を得ることができる表示装置、又は表示装置に用いることができる枠を提供することができる。また、本発明の一態様では、観察者が、二次元画像に強い立体感又は奥行き感を得ることができ、かつ、疲労が生じにくい表示装置、又は表示装置に用いることができる枠を提供することができる。また、本発明の一態様では、観察者が、二次元画像に自然な立体感又は奥行き感を得ることができ、かつ、疲労が生じにくい表示装置、又は表示装置に用いることができる枠を提供することができる。
【００３１】
なお、これらの効果の記載は、他の効果の存在を妨げるものではない。なお、本発明の一態様は、必ずしも、これらの効果の全てを有する必要はない。なお、これら以外の効果は、明細書、図面、請求項などの記載から、自ずと明らかとなるものであり、明細書、図面、請求項などの記載から、これら以外の効果を抽出することが可能である。
【図面の簡単な説明】
【００３２】
【図１】表示装置の一例を示す図。
【図２】表示装置の一例を示す図。
【図３】表示装置の一例を示す図。
【図４】表示装置の一例を示す図。
【図５】表示装置用枠及び表示装置の一例を示す図。
【図６】表示装置の一例を示す図。
【図７】表示装置の一例を示す図。
【図８】表示装置の一例を示す図。
【図９】表示装置の一例を示す図。
【図１０】実施例の結果を示す図。
【図１１】実施例の結果を示す図。
【発明を実施するための形態】
【００３３】
実施の形態について、図面を用いて詳細に説明する。但し、本発明は以下の説明に限定されず、本発明の趣旨及びその範囲から逸脱することなくその形態及び詳細を様々に変更し得ることは当業者であれば容易に理解される。従って、本発明は以下に示す実施の形態の記載内容に限定して解釈されるものではない。
【００３４】
なお、以下に説明する発明の構成において、同一部分又は同様な機能を有する部分には同一の符号を異なる図面間で共通して用い、その繰り返しの説明は省略する。また、同様の機能を指す場合には、ハッチパターンを同じくし、特に符号を付さない場合がある。
【００３５】
また、図面等において示す各構成の、位置、大きさ、範囲などは、理解の簡単のため、実際の位置、大きさ、範囲などを表していない場合がある。このため、開示する発明は、必ずしも、図面等に開示された位置、大きさ、範囲などに限定されない。
【００３６】
以下では、本発明の一態様の表示装置について図１〜図９を用いて説明する。
【００３７】
本発明の一態様は、枠部と、枠部側に表示面を有し、枠部と間隔を空けて位置する表示部と、を有し、表示部は枠部の開口と重なり、かつ、表示部の端部は枠部と重なる、表示装置である。
【００３８】
本発明の一態様の表示装置は、観察者と表示部の間に枠部を有することで、観察者が表示部の位置を実際とは異なる位置に錯覚し、脳で立体情報に補正がかかり、二次元画像に立体感や奥行き感を得ることができる。
【００３９】
また、表示装置において、枠部の湾曲や傾きの加減、枠部の開口の形状や大きさなどが一定であると、不具合が生じる場合がある。例えば、観察者によって立体感や奥行き感の得られ方が異なり、枠部の湾曲や傾きの加減、枠部の開口の形状や大きさなどの条件の適切な範囲に個人差がある場合がある。これらの条件が観察者にとって適していない場合、枠部の開口を通して表示部を観察しても、観察者は二次元画像に立体感や奥行き感を得にくい場合がある。逆に、立体感や奥行き感が強すぎると、脳や目への負荷が大きくなり、観察者の疲労感が強まる場合がある。また、表示部に表示する画像によって、観察者が得られる立体感や奥行き感の強弱に意図せず変化が出てしまう、又は変化を出したいが出せない場合などがある。
【００４０】
そこで、本発明の一態様の表示装置では、枠部の湾曲、枠部の傾き、枠部の開口の形状、又は枠部の大きさ等の少なくともいずれか一つを可変とする。これにより、観察者にとって自然な立体感が得られ、かつ、疲れにくいように、枠部を調整することができる。また、表示部に表示する画像に応じて枠部を調整することで、意図しない立体感や奥行き感の強弱の変化を抑制する、又は意図して立体感や奥行き感の強弱を変化させることができる。これにより、本発明の一態様の表示装置では、観察者が、二次元画像に強い立体感や奥行き感を得ることができ、かつ、疲れにくい。
【００４１】
なお、枠部の制御は、観察者自身が行っても、表示装置や枠部が自動で行ってもよい。また、枠部の湾曲、枠部の傾き、枠部の開口の形状、又は枠部の大きさは、表示部での画像の再生中に変わってもよい。または、画像の再生中は、枠部の湾曲、枠部の傾き、枠部の開口の形状、又は枠部の大きさが一定で、停止中に変更できる仕様であってもよい。
【００４２】
図１（Ａ）に示す表示装置の斜視図と、図１（Ｂ）に示す該表示装置の正面図（表示面側から見た図）及び上面図を用いて、本発明の一態様の表示装置における表示部と枠部の位置関係を説明する。
【００４３】
図１（Ａ）、（Ｂ）に示す表示装置は、表示部１０３を有する表示パネル１０と、枠部１０１とを含む。表示部１０３は、表示面を枠部１０１側に有する。表示部１０３と枠部１０１は間隔Ｌを空けて位置する。表示部１０３は枠部１０１の開口と重なり、かつ表示部１０３の端部は枠部１０１と重なっている。
【００４４】
本明細書中において、枠部１０１と表示部１０３の間隔とは、表示部１０３の表示面と、枠部１０１の観察者側の面との間の距離を示す。つまり、枠部１０１と表示部１０３の間隔は、表示部１０３の表示面と、該表示面と対向する枠部１０１の面との間の距離と、枠部１０１自体の厚さ（枠部１０１において該表示面と対向する面と、観察者側の面との間の距離）との和である。枠部１０１と表示部１０３とが接していても、枠部１０１と表示部１０３とは、枠部１０１の厚さ分、間隔を空けて位置しているといえる。
【００４５】
例えば、枠部１０１と表示部１０３の間隔Ｌは、１ｍｍ以上、好ましくは１ｃｍ以上、より好ましくは５ｃｍ以上であると、観察者が、二次元画像に強い立体感や奥行き感を得られる。
【００４６】
枠部１０１と表示部１０３の間隔は、表示部１０３の端部や中央部など、位置によって異なる場合があるが、少なくとも一部で０より大きければよく、好ましくは１ｍｍ以上あればよい。特に、表示部１０３の表示面と、枠部１０１の観察者側の面との間の最短距離が１ｃｍ以上、より好ましくは５ｃｍ以上であると、観察者が、表示部全体に表示された二次元画像に強い立体感や奥行き感を得られ、好ましい。
【００４７】
図１（Ｂ）では、表示部１０３の四辺が枠部１０１と重なっている場合を示す。本発明の一態様はこれに限られず、表示部１０３の少なくとも一部が枠部１０１と重なっていればよい。例えば、表示部１０３の対向する二辺のみが枠部１０１と重なっていてもよい。
【００４８】
また、図１（Ｂ）では、表示部１０３の長辺Ｗ１が枠部１０１の開口の長辺Ｗ２よりも長く、表示部１０３の短辺が、枠部１０１の開口の短辺よりも長い場合を示す。本発明の一態様はこれに限られず、例えば、長辺又は短辺のいずれか一方について、枠部１０１の開口よりも表示部１０３の方が長くてもよい。
【００４９】
また、例えば、観察者から見える割合が表示部における表示の５０％未満であっても、観察者は立体感や奥行き感を得ることはできるが、表示の全容の把握が困難になる、表示が不自然に見える、又は疲労感が強まる場合がある。よって、表示装置の表示面に正対した観察者が、枠部の開口を通して、表示部における表示の５０％以上、より好ましくは７０％以上、さらに好ましくは９０％以上を観察できることが好ましい。
【００５０】
表示装置の観察者（図１（Ｂ）の右目３０Ｒ及び左目３０Ｌ参照）は、枠部１０１の開口を通して表示部１０３に表示された二次元画像（静止画像又は動画像）を観察する。枠部１０１の開口を通して表示部１０３の表示を観察することで、観察者は、枠部１０１の開口を通さずに表示部１０３を観察する場合に比べて、二次元画像に強い立体感や奥行き感を得ることができる。
【００５１】
観察者は片目で表示部１０３を観察しても、二次元画像に強い立体感や奥行き感を得ることができる。観察者は、両目で表示部１０３を観察し、左右の目に入る情報に差を生じさせることで、二次元画像により強い立体感や奥行き感を得ることができる。
【００５２】
なお、枠部１０１は、着脱自在に取り付けられていてもよい。表示部１０３で、立体感や奥行き感を要さない表示を行う際などに、枠部１０１を用いずに、表示装置を使用することができる。また、それぞれ開口の大きさや形状等が異なる複数の着脱自在の枠部１０１を用意し、枠部１０１を付け替えてもよい。
【００５３】
図２（Ａ）〜（Ｇ）に本発明の一態様の枠部の内枠の形状の例を示す。枠部１０１の内枠の形状は、表示部１０３の形状と同様であってもよいし、異なっていてもよい。例えば、表示部１０３が長方形であるとき、枠部１０１の内枠の形状は、長方形であってもよいし、台形（図２（Ａ））、六角形（図２（Ｂ））等の長方形以外の多角形であってもよいし、円形、楕円形（図２（Ｃ））などであってもよい。
【００５４】
また、図２（Ｃ）〜（Ｅ）に示すように、枠部１０１の内枠の角部が曲率を有すると、観察者は、二次元画像により強い立体感や奥行き感を得ることができるため、好ましい。また、枠部１０１の内枠の角部が曲率を有すると、観察者には、二次元画像の自然さが増して見える場合があり、好ましい。特に、枠部１０１の内枠の角部は、表示部１０３の角部よりも大きな曲率を有することが好ましい。
【００５５】
角部の曲率が大きいと、観察者から見える表示部１０３の領域が狭くなってしまうため、図２（Ｄ）に示すように、枠部１０１の内枠の辺に直線部が含まれる程度の曲率が好ましく、図２（Ｅ）に示すように、枠部１０１の内枠の各辺に直線部が含まれる程度の曲率がより好ましい。
【００５６】
例えば、ゴム等の伸縮性のある材料を用いることで、枠部の内枠の角部の曲率が可変である枠部を実現できる。例えば、表示部に表示する画像に応じて図２（Ｃ）〜（Ｅ）に示すような形状に調整することで、意図しない立体感や奥行き感の強弱の変化を抑制する、又は意図して立体感や奥行き感の強弱を変化させることができる。
【００５７】
図２（Ｆ）に示すように、枠部１０１の開口の位置が移動してもよい。図２（Ｇ）に示すように、枠部１０１の開口の大きさが可変であってもよい。例えば、表示部に表示する画像に応じて枠部の開口の大きさや位置を調整することで、意図しない立体感や奥行き感の強弱の変化を抑制する、又は意図して立体感や奥行き感の強弱を変化させることができる。
【００５８】
図３（Ａ）〜（Ｆ）に、本発明の一態様の枠部の形状の例を示す。
【００５９】
本発明の一態様において、枠部は、湾曲していてもよい。図３（Ａ）に示す枠部１０１は、左右方向（ここでは表示部１０３の長軸方向）に曲がっており、観察者側に凸面（凸曲面）を有する。図３（Ｂ）に示す枠部１０１は、左右方向に曲がっており、観察者側に凹面（凹曲面）を有する。図３（Ｃ）に示す枠部１０１は、上下方向（ここでは表示部１０３の短軸方向）に曲がっており、観察者側に凸面を有する。図３（Ｄ）に示す枠部１０１は、上下方向に曲がっており、観察者側に凹面を有する。
【００６０】
図３（Ａ）〜（Ｄ）のいずれの構成であっても、観察者は、二次元画像に強い立体感や奥行き感を得ることができる。特に、上下方向に比べて、左右方向に曲げる方が、より強い立体感や奥行き感を得ることができる。これは、観察者の左右の目に入る情報の差を大きくすることができるためであると示唆される。また、凹面に比べて、凸面を観察者側に有する方が、より強い立体感や奥行き感を得ることができる。
【００６１】
本発明の一態様において、枠部は、表示面（又は表示部）に対して平行でなくてもよい。例えば、図３（Ｅ）では、枠部１０１と表示部（表示パネル１０）の間隔が右にいくほど広くなる場合、図３（Ｆ）では、枠部１０１と表示部（表示パネル１０）の間隔が下にいくほど広くなる場合を示す。枠部１０１が表示面（又は表示部）に対して傾きを有することで、観察者は二次元画像により強い立体感や奥行き感を得ることができる場合があり、好ましい。
【００６２】
図４（Ａ）〜（Ｄ）に本発明の一態様の表示装置を示す。
【００６３】
図４（Ａ）、（Ｂ）は枠部１０１が表示部１０３に対して平行でない場合の一例である。図４（Ａ）は、表示装置の上面図であり、図４（Ｂ）は、表示装置の斜視図である。
【００６４】
図４（Ｃ）、（Ｄ）は、枠部１０１が表示部１０３に対して平行でない場合の別の一例である。図４（Ｃ）は、表示装置の斜視図であり、図４（Ｄ）は、表示装置の側面図である。
【００６５】
図４（Ａ）〜（Ｄ）に示す表示装置は、表示部１０３と、枠部１０１とを含む。表示部１０３は、表示面を枠部１０１側に有する。表示部１０３と枠部１０１は間隔を空けて位置する。構造体２０に固定された駆動部１０２ａ〜ｈの長さによって、表示部１０３に対する枠部１０１の傾きや湾曲の加減を調整することができる。表示部１０３は枠部１０１の開口と重なり、かつ表示部１０３の端部は枠部１０１と重なっている。
【００６６】
図４（Ａ）〜（Ｄ）では、表示装置が駆動部を８つ有する例を示したが、本発明の一態様はこれに限定されず、例えば、駆動部を有していなくてもよいし、駆動部を１つ乃至７つ、又は９つ以上有していてもよい。複数の駆動部はそれぞれ独立に駆動してもよいし、同期して駆動してもよい。
【００６７】
枠部１０１や駆動部１０２ａ〜ｈは、着脱自在に取り付けられていてもよい。
【００６８】
なお、駆動部１０２ａ〜ｈや枠部１０１は、表示パネルなど、表示装置を構成する部材に取り付けられていてもよいし、表示装置を配置する壁面や床面に取り付けてもよい。つまり、構造体２０は、表示装置に含まれていてもよいし、含まれなくてもよい。
【００６９】
図４（Ａ）、（Ｂ）では、枠部１０１と表示部１０３の間隔が左にいくほど広くなる場合、図４（Ｃ）、（Ｄ）では、枠部１０１と表示部１０３の間隔が上にいくほど広くなる場合を示す。
【００７０】
図４（Ａ）〜（Ｄ）に示す表示装置は、処理部１０９を有する。処理部１０９を有することで、例えば、動画像の内容に応じて、枠部１０１の表示部１０３に対する傾きを変化させることができる。これにより、観察者が、二次元画像により強い立体感や奥行き感を得ることができ、好ましい。
【００７１】
具体的には、例えば、移動体が左側から右斜め前方に向かってくるような動画を表示する際には、枠部１０１の右側が特に観察者側に向かってくるように、枠部１０１と表示部１０３の間隔が右にいくほど広くなるように枠部１０１を動かせばよい。
【００７２】
処理部１０９を有する表示装置用枠、及び表示装置の構成例を図５（Ａ）、（Ｂ）にそれぞれ示す。なお、表示装置用枠は、表示パネルに取り付ける構成のほか、観察者の頭部に装着する構成としてもよい。
【００７３】
処理部１０９は、図５（Ａ）、（Ｂ）に示す演算処理部、記憶部、駆動制御部を有する。
【００７４】
演算処理部には、表示部１０３で表示する画像データが供給される。演算処理部は、供給された画像データを解析することで、制御信号を生成する。
【００７５】
画像データの解析としては、スペクトル解析（内容分析など）、広がりや動きの検出（ズームイン・ズームアウト、パン・チルト（パンニング）、動きの速度、動きの方向などの検出）等が挙げられる。
【００７６】
また、演算処理部に音声データが供給される場合は、供給された音声データを解析することで制御信号を生成してもよい。また、画像データ及び音声データの双方の解析結果に基づいて制御信号を生成してもよい。
【００７７】
音声データの解析としては、スペクトル解析（内容分析など）、音源分析、音楽や人の声等の分離抽出等が挙げられる。
【００７８】
さらに、表示部を観察している際の観察者の焦点距離や視線を検出した結果や、立体感、疲労感などの感性評価の結果などのデータが演算処理部に供給される場合は、これらのデータを解析することで、制御信号を生成してもよい。
【００７９】
例えば、表示装置を使用する複数の観察者について、事前の感性評価にて、表示部に対して傾いた枠部と、湾曲した枠部のどちらが強い立体感を得られやすいか、調べておく。各観察者は表示装置を使用する際に、感性評価で得た自分のデータを選択する。すると、演算処理部で該データを解析することで生成された制御信号が、演算処理部から駆動制御部に供給される。そして、該制御信号に基づき、駆動制御部が、表示部に対して傾いた枠部又は湾曲した枠部になるよう、枠部を移動又は変形させる。
【００８０】
また、観察者が立体感の強弱、有無、又は枠部の湾曲や傾きの加減、枠部の内枠の形状や大きさ等を選択することができ、該選択に基づく信号が演算処理部に供給されてもよい。演算処理部では、該信号に応じた制御信号を生成してもよい。
【００８１】
記憶部は、演算処理部における演算に用いる情報や演算結果等を記憶することができる。
【００８２】
駆動制御部には、演算処理部で生成された制御信号が供給され、該制御信号に基づき、枠部を制御することができる。枠部を直接動かしてもよいし、駆動部を動かすことで間接的に枠部を動かしてもよい。
【００８３】
図６（Ａ）、（Ｂ）に本発明の一態様の表示装置を示す。
【００８４】
図６（Ａ）、（Ｂ）に示す表示装置は、枠部と、表示部１０３を有する。枠部は、第１の枠部１０１ａと第２の枠部１０１ｂからなる。表示部１０３は、第１の枠部１０１ａと第２の枠部１０１ｂに囲まれた開口と重なり、かつ、表示部１０３の端部は第１の枠部１０１ａ及び第２の枠部１０１ｂと重なる。
【００８５】
駆動部１０２ａ、ｂによって、第１の枠部１０１ａと第２の枠部１０１ｂを移動させ、枠部の内枠の大きさを変化させることができる。
【００８６】
図６（Ａ）、（Ｂ）に示す表示装置や枠部に、前述の表示装置や表示装置用枠（図５（Ａ）、（Ｂ）参照）を適用してもよい。
【００８７】
図７（Ａ）〜（Ｃ）に本発明の一態様の表示装置と、該表示装置が有する表示パネルを示す。
【００８８】
図７（Ａ）に示す表示装置は、枠部１８１と、表示パネル４０を有する。表示パネル４０（図７（Ｂ）参照）は表示部１０３を有する。表示部１０３は、枠部１８１の開口と重なり、かつ、表示部１０３の端部は枠部１８１と重なる。
【００８９】
図７（Ｃ）に示すように、枠部１８１は、内部に表示パネル４０を収めることができる。表示パネル４０と枠部１８１は一体であってもよいし、枠部１８１から表示パネル４０が取り出せ、それぞれ独立に用いることができてもよい。
【００９０】
また、図８（Ａ）〜（Ｃ）に本発明の一態様の表示装置を示す。
【００９１】
図８（Ａ）〜（Ｃ）に示す表示装置は、着脱可能な枠部１８３と、表示パネル４０を有する。表示パネル４０（図７（Ｂ）参照）は表示部１０３を有する。
【００９２】
図８（Ｃ）に示すように、枠部１８３は、留め具１８５（又はフック）を用いて表示パネル４０に取り付けることができる。
【００９３】
また、図９（Ａ）〜（Ｃ）に本発明の一態様の表示装置を示す。
【００９４】
図９（Ａ）〜（Ｃ）に示す表示装置は、着脱可能な枠部１８７と、表示パネル５０と、支持体５１と、を有する。表示パネル５０は表示部１０３を有する。
【００９５】
図９（Ｃ）に示すように、枠部１８７は、留め具１８９を用いて表示パネル５０に取り付けることができる。
【００９６】
また、本発明の一態様の表示装置は、枠部を有することで、外光が表示部に映り込むことを抑制できる。外光の映り込みを抑制することで、表示の色再現性が高まるだけでなく、観察者が二次元画像により強い立体感や奥行き感を得ることができる。
【００９７】
＜枠部＞
枠部の開口は、観察者が表示部の表示を視認できる程度の透光性を有していればよく、空間であってもよい。また、ガラス、樹脂等の可視光を透過する材料を用いた板材やフィルム等が表示部と重なっていてもよい。
【００９８】
観察者にとって、枠部を介して観察できる表示は、枠部の開口から観察できる表示に比べて、不明瞭又は不鮮明である。枠部は、すりガラス、フロストガラス等の透光性を有する材料で形成されていてもよい。枠部は、観察者が枠部を介して表示部を視認するのが困難である程度の遮光性を有していてもよく、可視光を透過しない材料で形成されていてもよい。
【００９９】
枠部に用いる材料は特に問わない。例えば、ガラス、石英、セラミック、サファイア、金属、有機樹脂、紙、木材等の材料を用いることができる。枠部が可撓性を有する材料であると、枠部を曲げることができ、好ましい。
【０１００】
枠部の色は問わない。例えば、黒色、白色、青色、緑色、赤色等であってもよい。表示内容への没入感を高めるには、黒色が好ましい。
【０１０１】
＜表示部＞
本発明の一態様の表示装置は、面状に画像を表示することができる表示部を有するものであればよい。なお、本明細書中における画像は、静止画像又は動画像（映像）のいずれであってもよい。
【０１０２】
例えば、表示部としては、写真、絵画、イラスト等の各種画像が表示された、紙、布、樹脂フィルム、木材等のシート状又は板状の部材が挙げられる。
【０１０３】
また、表示部は、表示素子を有していてもよい。表示部が有する表示素子、又は表示部の一例としては、ＥＬ素子（有機物及び無機物を含むＥＬ素子、有機ＥＬ素子、無機ＥＬ素子）、ＬＥＤ（白色ＬＥＤ、赤色ＬＥＤ、緑色ＬＥＤ、青色ＬＥＤなど）、トランジスタ（電流に応じて発光するトランジスタ）、電子放出素子、液晶素子、電子インク、電気泳動素子、グレーティングライトバルブ（ＧＬＶ）、プラズマディスプレイパネル（ＰＤＰ）、ＭＥＭＳ（マイクロ・エレクトロ・メカニカル・システム）を用いた表示素子、デジタルマイクロミラーデバイス（ＤＭＤ）、ＤＭＳ（デジタル・マイクロ・シャッター）、ＩＭＯＤ（インターフェアレンス・モジュレーション）素子、シャッター方式のＭＥＭＳ表示素子、光干渉方式のＭＥＭＳ表示素子、エレクトロウェッティング素子、圧電セラミックディスプレイ、カーボンナノチューブなど、電気磁気的作用により、コントラスト、輝度、反射率、透過率などが変化する表示媒体を有するものがある。ＥＬ素子を用いた表示部の一例としては、ＥＬディスプレイなどがある。電子放出素子を用いた表示部の一例としては、フィールドエミッションディスプレイ（ＦＥＤ）又はＳＥＤ方式平面型ディスプレイ（ＳＥＤ：Ｓｕｒｆａｃｅ−ｃｏｎｄｕｃｔｉｏｎ  Ｅｌｅｃｔｒｏｎ−ｅｍｉｔｔｅｒ  Ｄｉｓｐｌａｙ）などがある。液晶素子を用いた表示部の一例としては、液晶ディスプレイ（透過型液晶ディスプレイ、半透過型液晶ディスプレイ、反射型液晶ディスプレイ、直視型液晶ディスプレイ、投射型液晶ディスプレイ）などがある。電子インク又は電気泳動素子を用いた表示部の一例としては、電子ペーパーなどがある。
【０１０４】
なお、表示部が有機ＥＬディスプレイであると、液晶ディスプレイに比べて、観察者は二次元画像に強い立体感や奥行き感を得ることができる傾向が見られた。したがって、本発明の一態様では、表示部に有機ＥＬディスプレイを用いることが好ましい。
【０１０５】
また、表示部は、投射装置によって画像が投射されるスクリーンであってもよい。
【０１０６】
本発明の一態様の表示装置が有する表示部、又は本発明の一態様の表示装置は、テレビジョン装置（テレビ、又はテレビジョン受信機ともいう）、コンピュータ用などのモニタ、デジタルフォトフレーム、携帯電話機（携帯電話、携帯電話装置ともいう）、携帯型ゲーム機、携帯情報端末、音響再生装置、パチンコ機などの大型ゲーム機等の電子機器であってもよい。つまり、本発明の一態様において、電子機器（表示部に相当）に別途枠部を取り付けてもよいし、枠部は電子機器（表示装置に相当）に含まれていてもよい。または、上記電子機器が、本発明の一態様の表示装置を有していてもよい。
【０１０７】
本発明の一態様の表示装置は、アミューズメント施設（遊園地、ゲームセンター、テーマパーク等）、劇場、又は映画館等に用いることができる。例えば、アトラクションの内容に応じて、枠部を変形させる、枠部の湾曲や傾きの加減、枠部の開口の形状や大きさを変化させることで、観察者が、二次元画像に強い立体感や奥行き感を得ることができる。
【０１０８】
以上に示したように、本発明の一態様の表示装置では、観察者と表示部との間に枠部を有することで、観察者が二次元画像に強い立体感や奥行き感を得ることができる。また、本発明の一態様の表示装置では、枠部の湾曲や傾きの加減、枠部の開口の形状や大きさを変化させることができるため、個人差や表示内容によらず、観察者が二次元画像に強い立体感や奥行き感を得ることができる。また、湾曲や傾きの加減、又は開口の形状や大きさ等が観察者にとって好ましい枠部を、観察者と表示部との間に設けることで、観察者にとって好ましくない枠部を観察者と表示部との間に固定された場合と比較して、観察者に与える疲労感を低減できる。
【０１０９】
なお、本発明の一態様の表示装置は、目が疲れにくい、目に優しい表示装置の一態様である。本発明の一態様の表示装置は、目に優しい表示装置の要素技術（Ｒｅｄｕｃｉｎｇ  Ｅｙｅ  Ｓｔｒａｉｎ  Ｔｅｃｈｎｏｌｏｇｙ、ＲＥＳＴともいう）が適用されている、といえる。
【実施例】
【０１１０】
本実施例では、表示装置に表示した二次元画像に、観察者が立体感を得られるかを検証するために行った感性評価の結果について説明する。
【０１１１】
感性評価に用いた表示装置は、遮光性の枠部と、枠部側に表示面を有し、枠部と間隔を空けて位置する表示部と、を有する。表示部は枠部の開口と重なり、かつ、表示部の端部は枠部と重なる。また、比較として、枠部を有さない表示装置も用いた。
【０１１２】
遮光性の枠部には、黒色の画用紙を用いた。表示部には、解像度がＱｕａｒｔｅｒ  ＨＤ（Ｈｉｇｈ  Ｄｅｆｉｎｉｔｉｏｎ）、（９６０×５４０）の７．４型有機ＥＬパネルを用いた。
【０１１３】
特に記載のない限り、枠部と表示部（表示面）は概略平行であり、観察者は表示部に表示された動画像を正面から見るものとする。観察者と表示部の間隔は、５０ｃｍとした。評価は暗室にて行った。枠部と表示部の間隔は５ｃｍとした。
【０１１４】
本実施例では、内枠の大きさ（開口の大きさ）が異なる３種類の枠部を用いた。
【０１１５】
Ｓａｍｐｌｅ１で用いた枠において、観察者と表示部の間隔が５０ｃｍであるとき、枠部の開口と表示部の大きさが、観察者から見て概略同一となる（枠部の内枠（開口の外周）と表示部の端部が概略揃う、ともいえる）条件は、枠部から表示部までの距離が２０ｃｍのときである。したがって、枠部から表示部までの距離が２０ｃｍを超えると、観察者は、枠部の開口を通して表示部の端部を視認できる。
【０１１６】
同様に、Ｓａｍｐｌｅ２で用いた枠において、観察者と表示部の間隔が５０ｃｍであるとき、枠部の開口と表示部の大きさが、観察者から見て概略同一となる条件は、枠部から表示部までの距離が１０ｃｍのときである。したがって、枠部から表示部までの距離が１０ｃｍを超えると、観察者は、枠部の開口を通して表示部の端部を視認できる。
【０１１７】
そして、Ｓａｍｐｌｅ３で用いた枠において、観察者と表示部の間隔が５０ｃｍであるとき、枠部の開口と表示部の大きさが、観察者から見て概略同一となる条件は、枠部から表示部までの距離が５ｃｍのときである。したがって、枠部から表示部までの距離が５ｃｍを超えると、観察者は、枠部の開口を通して表示部の端部を視認できる。すなわち、枠部の内枠の大きさはＳａｍｐｌｅ１が最も小さく、Ｓａｍｐｌｅ３が最も大きい。
【０１１８】
観察者は、同一の動画像について、枠部の開口を通して表示部を観察した場合と、枠部の開口を通さずに表示部を観察した場合を比較し、立体感、奥行き感、及び自然さに差があるかを評価した。観察者は１１人とした。
【０１１９】
評価には、ＳＤ（ｓｅｍａｎｔｉｃ  ｄｉｆｆｅｒｅｎｔｉａｌ）法を用いた。具体的には、観察者は、枠部の開口を通さずに表示部を観察した場合と比べた、枠部の開口を通して表示部を観察した場合の動画像の立体感、奥行き感、及び自然さを、５段階（「とても強い（＋２）」、「強い（＋１）」、「変わらない（０）」、「弱い（−１）」、「とても弱い（−２）」）で評価した。
【０１２０】
図１０（Ａ）、（Ｂ）、及び図１１に、評価結果を示す。各図において、横軸は、サンプルの種類を示す。評価結果では、観察者１１人の評価の得点の平均を示す。
【０１２１】
図１０（Ａ）より、内枠の大きさによらず、枠部の開口を通さずに表示部を観察した場合に比べて、枠部の開口を通して表示部を観察した場合は、画像の立体感が強まったことがわかる。特に、内枠の大きさが小さいほど、観察者は表示部の画像に強い立体感を得られたことがわかった。
【０１２２】
また、図１０（Ｂ）より、内枠の大きさによらず、枠部の開口を通さずに表示部を観察した場合に比べて、枠部の開口を通して表示部を観察した場合は、画像の奥行き感が強まったことがわかる。特に、内枠の大きさが小さいほど、観察者は表示部の画像に強い奥行き感を得られたことがわかった。
【０１２３】
また、図１１より、枠部の開口を通さずに表示部を観察した場合と枠部の開口を通して表示部を観察した場合とでは、画像の自然さは変わらない、又は、枠部の開口を通して表示部を観察した場合の方が、画像が自然に見えたことがわかる。
【０１２４】
なお、図示しないが、枠部の開口を通して表示部の端部が視認できると、枠部の開口を通さずに表示部を観察した場合に比べて強い立体感や奥行き感を得られにくい、さらには立体感や奥行き感が弱まるという結果も得られた。また、枠部の開口を通して表示部の端部が視認できると、疲労感が強まる、不自然に見えるという結果も得られた。このことから、本発明の一態様の表示装置において、表示部の端部が枠部と重なり、観察者が表示部の端部を視認しないように、枠部と表示部の間隔を制御できることが好ましい。
【０１２５】
以上のことから、本実施例で用いた枠部を有する表示装置では、枠部を有さない表示装置に比べて、観察者が、二次元画像に強い立体感や奥行き感を得られたことがわかった。
【符号の説明】
【０１２６】
１０    表示パネル
２０    構造体
３０Ｌ    左目
３０Ｒ    右目
４０    表示パネル
５０    表示パネル
５１    支持体
１０１    枠部
１０１ａ    枠部
１０１ｂ    枠部
１０２ａ〜ｈ    駆動部
１０３    表示部
１０９    処理部
１８１    枠部
１８３    枠部
１８５    留め具
１８７    枠部
１８９    留め具
【図１】
2015127799.tif 000003
【図２】
2015127799.tif 000004
【図３】
2015127799.tif 000005
【図４】
2015127799.tif 000006
【図５】
2015127799.tif 000007
【図６】
2015127799.tif 000008
【図７】
2015127799.tif 000009
【図８】
2015127799.tif 000010
【図９】
2015127799.tif 000011
【図１０】
2015127799.tif 000012
【図１１】
2015127799.tif 000013